(57)【特許請求の範囲】
【請求項１】
受光面上にマトリクス配列され、受光量に応じた光電出力を生成する複数の受光素子と、
前記受光素子で生成される前記光電出力を、前記受光面上に設定された画素ブロックの単位に加算して、外部に出力する読出部とを備え、
前記画素ブロックは、前記マトリクス配列の列方向に前記受光素子をＮ（Ｎ≧２）個ずつまとめた画素ブロックであり、かつ、前記マトリクス配列の偶数列と奇数列では前記画素ブロックが前記列方向に半位相ずれており、
前記読出部は、前記受光素子から前記光電出力を読み出す移送ゲートと、前記移送ゲートを介して読み出された前記光電出力を前記列方向に垂直転送する垂直転送路と、前記垂直転送路から転送出力される前記光電出力を水平転送する水平転送路とを有し、前記移送ゲートの位置を前記偶数列と前記奇数列でずらすことにより、前記画素ブロックの半位相ずれを前記垂直転送路上で同一位相に揃える
ことを特徴とする固体撮像装置。
【請求項２】
受光面上にマトリクス配列され、受光量に応じた光電出力を生成する複数の受光素子と、
前記受光素子で生成される前記光電出力を、前記受光面上に設定された画素ブロックの単位に加算して、外部に出力する読出部とを備え、
前記画素ブロックは、前記マトリクス配列の列方向に前記受光素子をＮ（Ｎ≧２）個ずつまとめた画素ブロックであり、かつ、前記マトリクス配列の偶数列と奇数列では前記画素ブロックが前記列方向に半位相ずれており、
前記読出部は、前記受光素子で生成される前記光電出力を前記列方向に垂直転送する垂直転送路と、前記垂直転送路から転送出力される前記光電出力を水平転送する水平転送路とを有し、
前記垂直転送路は、前記偶数列と前記奇数列で垂直転送段数をずらし、前記画素ブロックの半位相ずれを前記水平転送路上で同一位相に揃える
ことを特徴とする固体撮像装置。
【請求項３】
受光面上にマトリクス配列され、受光量に応じた光電出力を生成する複数の受光素子と、
前記受光素子で生成される前記光電出力を、前記受光面上に設定された画素ブロックの単位に加算して、外部に出力する読出部とを備え、
前記画素ブロックは、前記マトリクス配列の列方向に前記受光素子をＮ（Ｎ≧２）個ずつまとめた画素ブロックであり、かつ、前記マトリクス配列の偶数列と奇数列では前記画素ブロックが前記列方向に半位相ずれており、
前記読出部は、多相の転送電極に印加される転送パルスによって、前記受光素子で生成される前記光電出力を前記列方向に垂直転送する垂直転送路と、前記垂直転送路から転送出力される前記光電出力を水平転送する水平転送路とを有し、前記奇数列と前記偶数列とで前記転送電極の配線パターンをずらし、前記画素ブロックの半位相ずれを前記垂直転送路上で同一位相に揃える
ことを特徴とする固体撮像装置。
【請求項４】
請求項３に記載の固体撮像装置において、
前記転送電極の少なくとも１つは、前記画素ブロックの半位相分ずれた『前記奇数列の受光素子』と『前記偶数列の受光素子』とに架けてパターン形成される
ことを特徴とする固体撮像装置。
【請求項５】
請求項１ないし請求項４のいずれか１項に記載の固体撮像装置において、
前記読出部は、
前記垂直転送路および前記水平転送路の少なくとも一方において、前記光電出力を前記画素ブロックの単位に加算する
ことを特徴とする固体撮像装置。
【請求項６】
請求項１ないし請求項５のいずれか１項に記載の固体撮像装置において、
前記画素ブロック単位に同一色を配したカラーフィルタアレイを、前記受光面に配置した
ことを特徴とする固体撮像装置。
【請求項７】
請求項６に記載の固体撮像装置において、
前記カラーフィルタアレイは、
前記マトリクス配列の偶数列および奇数列の一方に、第１色が連続して配され、
前記偶数列および前記奇数列の他方に、第２色および第３色が前記画素ブロック単位で交互に配される
ことを特徴とする固体撮像装置。
【請求項８】
請求項１ないし請求項７のいずれか１項に記載の固体撮像装置において、
前記受光面に投影される光像を、前記マトリクス配列の前記列方向と略直交する方向にぼかす光学的ローパスフィルタを備えた
ことを特徴とする固体撮像装置。
【請求項９】
請求項１ないし請求項８のいずれか１項に記載の固体撮像装置において、
前記読出部は、前記光電出力を前記受光素子単位に読み出す高解像度転送モードを選択可能に有する
ことを特徴とする固体撮像装置。
【発明の詳細な説明】
【技術分野】
【０００１】
本発明は、被写体像を光電変換して、画像データを生成する固体撮像装置に関する。
【背景技術】
【０００２】
近年、電子カメラの普及に伴い、画像データが様々な用途に使用されるようになった。これらの各用途では、適当とされる解像度がそれぞれ異なる。
【０００３】
例えば、高画質プリント用や高画質保存用といった用途では、なるべく高解像度の画像データ（以下『高解像度データ』という）が必要とされる。
【０００４】
また、一般的な用途では、不揮発記録媒体の記録コマ数などの観点から、適度に低解像度の画像データ（以下『低解像度データ』という）が必要とされる。
［従来例Ａ］
従来、このような要求に応えるため、解像度変換の機能を備えた電子カメラが開発されている。図２１は、この種の電子カメラを示すブロック図である。
【０００５】
図２１において、撮影レンズ９２は、固体撮像装置９３の受光面上に、被写体像を結像する。固体撮像装置９３は、この被写体像を光電変換し、アナログの画像データを出力する。Ａ／Ｄ変換部９４は、この画像データをデジタル化した後、信号処理部９５に出力する。
【０００６】
信号処理部９５は、この画像データに対して、黒レベル補正、階調補正（ガンマ補正など）、ホワイトバランス調整などを施した後、バッファメモリ９６に一旦記録する。
【０００７】
画像処理部９７は、このバッファメモリ９６内の画像データを読み出しながら、色補間処理などの２次元画像処理を実施する。これらの処理により、高解像度データが生成される。
【０００８】
ここで、高解像度データの保存モードがユーザー設定されている場合、記録部９９は、この高解像度データをメモリカードに圧縮保存する。
【０００９】
一方、低解像度データの保存モードがユーザー設定されている場合、解像度変換部９８は、この高解像度データに解像度変換の数値演算を施し、低解像度データを生成する。記録部９９は、この低解像度データをメモリカードに圧縮保存する。
［従来例Ｂ］
また従来、固体撮像装置の走査方式として、２線混合式インタレース走査がよく知られている。この２線混合式インタレース走査を応用することにより、上述した低解像度データを生成することもできる。以下、この動作について説明する（ただし、以下の説明中のｎは自然数）。
(1) まず、（２ｎ−１）行目の光電出力と（２ｎ）行目の光電出力を加算しながら逐次読み出し、奇数フィールドを得る。
(2) 次に、（２ｎ）行の光電出力と（２ｎ＋１）行の光電出力を加算しながら逐次読み出し、偶数フィールドを得る。
(3) 奇数フィールドと偶数フィールドを合わせて、１画面分の光電出力を得る。
【００１０】
この奇数（もしくは偶数）フィールドをもって、低解像度データとすることが可能である。
【００１１】
また、奇数フィールドおよび偶数フィールドを合成することにより、高解像度データを生成することも可能である。
【発明の開示】
【発明が解決しようとする課題】
【００１２】
ところで、従来例Ａでは、低解像度データの生成に際して、最終的に必要な画素数の数倍分もの光電出力を撮像素子から読み出さなければならない。そのため、撮像素子の転送読み出しの所要時間が長いという問題点があった。
【００１３】
さらに、従来例Ａでは、撮像素子の外部において低解像度変換を行う必要があり、その分だけ信号処理の所要時間が長くなったり、信号処理に使用するメモリ量が増えるといった問題点があった。
【００１４】
一方、従来例Ｂでは、隣接する２行分の光電出力を単純に合成して、１行分の光電出力を得る。この場合、フィールドデータだけでは画面全体に渡って垂直画素数が一様に半減する。そのため、このような転送処理では、視覚的な鮮鋭度が大きく低下するという問題点があった。
【００１５】
さらに、従来例Ｂでは、奇数フィールドと偶数フィールドの露光タイミングが異なる。そのため、両フィールドを合成して高解像度の静止画像を作った場合、動体被写体の画像がぶれる（ずれる）という問題点があった。
【００１６】
そこで、本発明では、上述の問題点に鑑みて、良質な低解像度データを読み出すことが可能な固体撮像装置を提供することを目的とする。
【課題を解決するための手段】
【００１７】
以下、本発明について説明する。
（１）
本発明の固体撮像装置は、受光面上にマトリクス配列されて受光量に応じた光電出力を生成する複数の受光素子と、受光素子で生成される光電出力を『受光面上に設定された画素ブロック』の単位に加算して外部に出力する読出部とを備える。
【００１８】
この画素ブロックは、マトリクス配列の列方向に受光素子をＮ（Ｎ≧２）個ずつまとめた画素ブロックであり、かつ、マトリクス配列の偶数列と奇数列では画素ブロックが列方向に半位相ずれている。
【００１９】
また、読出部は、受光素子から光電出力を読み出す移送ゲートと、移送ゲートを介して読み出された光電出力を列方向に垂直転送する垂直転送路と、垂直転送路から転送出力される光電出力を水平転送する水平転送路とを有しており、この移送ゲートが偶数列と奇数列で光電出力を互い違いの方向に読み出すことにより、画素ブロックの半位相ずれは垂直転送路上で同一位相に揃う。
（２）
本発明の別の固体撮像装置は、受光面上にマトリクス配列されて受光量に応じた光電出力を生成する複数の受光素子と、受光素子で生成される光電出力を『受光面上に設定された画素ブロック』の単位に加算して外部に出力する読出部とを備える。
【００２０】
この画素ブロックは、マトリクス配列の列方向に受光素子をＮ（Ｎ≧２）個ずつまとめた画素ブロックであり、かつ、マトリクス配列の偶数列と奇数列では画素ブロックが列方向に半位相ずれている。
【００２１】
また、読出部は、受光素子で生成される光電出力を列方向に垂直転送する垂直転送路と、垂直転送路から転送出力される光電出力を水平転送する水平転送路とを有しており、この垂直転送路の段数を偶数列と奇数列でずらすことにより、画素ブロックの半位相ずれは水平転送路上で同一位相に揃う。
（３）
本発明の別の固体撮像装置は、受光面上にマトリクス配列されて受光量に応じた光電出力を生成する複数の受光素子と、受光素子で生成される光電出力を『受光面上に設定された画素ブロック』の単位に加算して外部に出力する読出部とを備える。
【００２２】
この画素ブロックは、マトリクス配列の列方向に受光素子をＮ（Ｎ≧２）個ずつまとめた画素ブロックであり、かつ、マトリクス配列の偶数列と奇数列では画素ブロックが列方向に半位相ずれている。
【００２３】
また、読出部は、多相の転送電極に印加される転送パルスによって、受光素子で生成される光電出力を列方向に垂直転送する垂直転送路と、垂直転送路から転送出力される光電出力を水平転送する水平転送路とを有しており、この転送電極の配線パターンを奇数列と偶数列とでずらすことにより、画素ブロックの半位相ずれは垂直転送路上で同一位相に揃う。
（４）
本発明の別の固体撮像装置は、上記（３）に記載の固体撮像装置において、転送電極の少なくとも１つが、画素ブロックの半位相分ずれた『奇数列の受光素子』と『偶数列の受光素子』とに架けて、パターン形成される。
（５）
本発明の別の固体撮像装置は、上記（１）〜（４）のいずれか１項に記載の固体撮像装置において、読出部が、垂直転送路および水平転送路の少なくとも一方において、光電出力を画素ブロックの単位に加算する。
（６）
本発明の別の固体撮像装置は、上記（１）〜（５）のいずれか１項に記載の固体撮像装置において、画素ブロック単位に同一色を配したカラーフィルタアレイが、受光面に配置される。
（７）
本発明の別の固体撮像装置は、上記（６）に記載の固体撮像装置において、カラーフィルタアレイが、マトリクス配列の偶数列および奇数列の一方に、第１色が連続して配され、偶数列および奇数列の他方に、第２色および第３色が画素ブロック単位で交互に配される。
（８）
本発明の別の固体撮像装置は、上記（１）〜（７）のいずれか１項に記載の固体撮像装置において、受光面に投影される光像を『マトリクス配列の列方向と略直交する方向』にぼかす（多重像化する場合も含む）光学的ローパスフィルタを備える。
（９）
本発明の別の固体撮像装置は、上記（１）〜（８）のいずれか１項に記載の固体撮像装置において、画素ブロック単位の加算処理を行わずに、光電出力を受光素子単位に読み出す高解像度転送モードを、読出部が選択可能に有する。
【００２４】
なお、本発明における上述した目的およびそれ以外の目的は、以下の説明と添付図面とによって容易に確認することができる。
【発明を実施するための最良の形態】
【００２５】
以下、本発明における実施の形態を説明する。
《第１の実施形態》
図１は、第１の実施形態にかかる電子カメラ１１の概略構成を示すブロック図である。
【００２６】
図１において、電子カメラ１１には、撮影レンズ１２が装着される。この撮影レンズ１２の像空間側には、機械シャッタ１４および固体撮像装置１３が光軸に沿って配置される。この固体撮像装置１３の受光面には、光学的ローパスフィルタ（ＯＬＰＦ）１３ｂが配置される。この固体撮像装置１３の出力は、Ａ／Ｄ変換部１５、信号処理部１６およびバッファメモリ１７を介して、バス１８に接続される。このバス１８には、画像処理部１９，記録部２０，およびマイクロプロセッサ２２などが接続される。このマイクロプロセッサ２２は、上述した機械シャッタ１４，固体撮像装置１３，画像処理部１９，および記録部２０などを制御する。
【００２７】
図２は、上述した固体撮像装置１３を示す図である。この固体撮像装置１３は、インターライン転送方式の撮像デバイスである。
【００２８】
図２において、固体撮像装置１３の受光面には、複数の受光素子３１がマトリクス配列される。個々の受光素子３１の上には、オンチップマイクロレンズ（不図示）が配置される。
【００２９】
さらに、このオンチップマイクロレンズと受光素子３１との間には、カラーフィルタが設けられる。図２には、受光素子配置と、各受光素子に割り当てられるカラーフィルタの配色（ＲＧＢなどの符号）を示している。すなわち、偶数列の受光素子３１には、Ｇ色のカラーフィルタが連続配置される。一方、奇数列の受光素子３１には、後述する画素ブロック単位にＲ色とＢ色とが交互に配置される。なお、図２に示すように、このＲ色とＢ色は、隣り合う奇数列ごとに位置が入れ替わる方が好ましい。
【００３０】
このような受光面の上には、受光面の水平方向に光像をぼかす（多重像を形成する場合も含む）光学的ローパスフィルタ１３ｂが配置される。この光学的ローパスフィルタ１３ｂは、光像をずらす間隔が、受光素子３１の水平間隔に略等しくなるように調整されている。
【００３１】
このような受光素子３１の列の間には、垂直ＣＣＤ３３が個別に設けられる。この垂直ＣＣＤ３３は、複数の転送段を連ねて構成される。これら転送段には、４相の転送電極φＶ１〜φＶ４が配設される。制御回路３５は、これらの転送電極φＶ１〜φＶ４に対して、制御電圧を印加する。
【００３２】
また、受光素子３１と垂直ＣＣＤ３３との間には、移送ゲート３２が設けられる。この移送ゲート３２は、偶数列と奇数列とにおいて位置をずらして配置される。すなわち、図２において、偶数列の移送ゲート３２は、受光素子３１の右斜め下に配置される。一方、奇数列の移送ゲート３２は、受光素子３１の右斜め上に配置される。転送電極φＶ１，φＶ３は、これらの移送ゲート３２まで延設される。制御回路３５は、この転送電極φＶ１，φＶ３に、閾値電圧を超えた電圧を印加することにより、受光素子３１から垂直ＣＣＤ３３へ光電出力を移送する。  これら垂直ＣＣＤ３３の終端には、水平ＣＣＤ３６が設けられる。この水平ＣＣＤ３６には、２相の転送電極φＨ１〜φＨ２が配設される。制御回路３５は、これらの転送電極φＨ１〜φＨ２に対して、制御電圧を印加する。
［発明との対応関係］
以下、各請求項の記載事項と本実施形態との対応関係について説明する。
【００３３】
なお、ここでの対応関係は、参考のために一解釈を例示するものであり、本発明を徒らに限定するものではない。
【００３４】
請求項記載の受光素子は、受光素子３１に対応する。
【００３５】
請求項記載の読出部は、移送ゲート３２，垂直ＣＣＤ３３，水平ＣＣＤ３６および制御回路３５に対応する。
【００３６】
請求項記載の移送ゲートは、移送ゲート３２に対応する。
【００３７】
請求項記載の垂直転送路は、垂直ＣＣＤ３３に対応する。
【００３８】
請求項記載の水平転送路は、水平ＣＣＤ３６に対応する。
【００３９】
請求項記載のカラーフィルタアレイの配色は、図２に示すものである。
【００４０】
請求項記載の第１色は、Ｇ色に対応する。
【００４１】
請求項記載の第２色は、Ｒ色に対応する。
【００４２】
請求項記載の第３色は、Ｂ色に対応する。
【００４３】
請求項記載の光学的ローパスフィルタは、光学的ローパスフィルタ１３ｂに対応する。
［低解像度転送モードの動作説明］
以下、第１の実施形態における低解像度転送モードの動作説明を行う。
【００４４】
まず、マイクロプロセッサ２２は、機械シャッタ１４を開閉して、固体撮像装置１３の受光面に被写体像を投影する。機械シャッタ１４の全開直後、マイクロプロセッサ２２は、固体撮像装置１３内の制御回路３５に露光開始信号を送出する。制御回路３５は、この露光開始信号に従って、受光素子３１のリセット動作（不要電荷の排出）を実施する。このようにリセットされた受光素子３１では、被写体像に応じた光電出力（信号電荷など）の蓄積が新たに開始される。
【００４５】
所定の露光時間が経過すると、マイクロプロセッサ２２は、固体撮像装置１３内の制御回路３５に対して、低解像度転送モードの転送制御信号を送出する。
【００４６】
図３Ａ〜Ｃは、この低解像度転送モードにおける固体撮像装置１３の動作を示す図である。
【００４７】
まず、制御回路３５は、転送電極φＶ１に対して閾値電圧を超える電圧を印加する。すると、受光素子３１の光電出力（図３Ａに示すＧ２１，Ｒ３２，Ｇ２３，Ｂ３４，Ｇ４１，Ｂ５２，Ｇ４３，Ｒ５４など）は、移送ゲート３２を介して、転送電極φＶ１の転送段に移送される。ここまでの状態を、図３Ａに示す。
【００４８】
この状態で、制御回路３５は、転送電極φＶ１〜φＶ４に４相の転送パルスを印加し、垂直ＣＣＤ３３上の光電出力を転送段２つ分だけ転送する。ここまでの状態を、図３Ｂに示す。
【００４９】
次に、制御回路３５は、転送電極φＶ３に対して閾値電圧を超える電圧を印加する。すると、受光素子３１の光電出力（図３Ｂに示すＧ１１，Ｒ２２，Ｇ１３，Ｂ２４，Ｇ３１，Ｂ４２，Ｇ３３，Ｒ４４など）は、移送ゲート３２を介して、転送電極φＶ３の転送段に移送される。このような動作により、転送電極φＶ３の転送段には、光電出力の加算結果として、（Ｇ１１＋Ｇ２１），（Ｒ２２＋Ｒ３２），（Ｇ１３＋Ｇ２３），（Ｂ２４＋Ｂ３４）などが生成される。ここまでの状態を、図３Ｃに示す。
【００５０】
この状態で、制御回路３５は、転送電極φＶ１〜φＶ４に４相の転送パルスを順次に印加し、垂直ＣＣＤ３３上の加算結果１行分を水平ＣＣＤ３６に垂直転送する。制御回路３５は、転送電極φＨ１〜φＨ２に２相の転送パルスを順次に印加し、水平ＣＣＤ３６上の加算結果１行分を外部に水平転送する。このような垂直転送および水平転送を交互に繰り返すことにより、光電出力の加算結果が、１画面分の低解像度データとして外部に読み出される。
【００５１】
この低解像度データは、Ａ／Ｄ変換部１５において、利得調整およびデジタル化の処理が施される。このようにデジタル化された低解像度データは、信号処理部１６において、階調補正およびホワイトバランス調整などの信号処理を、必要に応じてほぼリアルタイムに施された後、バッファメモリ１７に一旦記録される。
【００５２】
画像処理部１９は、このバッファメモリ１７内の低解像度データを、バス１８を介して処理単位ごとに読み出しながら、色補間処理などの２次元画像処理を施す。このように画像処理を完了した低解像度データは、記録部２０を介して、メモリカード２１に圧縮保存される。
［低解像度転送モードの特徴について］
図４Ａは、上記動作における光電出力の加算範囲を、受光面上の画素ブロック（図中の点線四角）として示した図である。この図に示されるように、画素ブロックは、マトリクス配列の列方向に受光素子３１を２個ずつまとめたものである。また、偶数列と奇数列では、この画素ブロックが列方向に半位相ずれる。なお、本発明では、数値的に厳密に半位相ずれる必要はなく、実質的な範囲（例えば、解像感向上などの視覚効果が得られる範囲など）で半位相ずれていればよい。
【００５３】
このような画素ブロックの設定により、１画素当たりの信号電荷量は受光素子２つ分に拡大する。したがって、低解像度転送モードの固体撮像装置１３では、受光素子３１から信号を個別に読み出して外部メモリ上で加算する場合よりも、読出回数の少ない分だけノイズが減少し、Ｓ／Ｎの優れた画像データを撮像することができる。
【００５４】
また、全画素を読み出してから演算によって加算を行う場合に比べて、撮像素子の読出し時間が半分ですむ。そのため、この低解像度モードは、高速モードでもある。したがって、低解像度モードでは、カメラ撮影のコマ速度を、全画素読出した場合の２倍程度まで高速化することが可能になる。
【００５５】
さらに、この画素ブロックは、偶数列と奇数列において半位相ずらして設定される。このような位相ずらしにより、列方向の鮮鋭度低下を補うことができる。したがって、低解像度転送モードの固体撮像装置１３では、鮮鋭度の優れた画像データを撮像することができる。
【００５６】
また、この画素ブロックの位相ずれは、図２に示すように移送ゲート３２の位置をずらしたことにより、垂直ＣＣＤ３３上で同一位相に揃えられる。したがって、光電出力を転送する際に、画素ブロックの位相ずれを考慮する必要がなく、光電出力の転送シーケンスを単純化することが可能になる。
【００５７】
ところで、画素ブロックのアパーチャ（入射光の範囲）は、光学的ローパスフィルタ１３ｂの像ずらし効果により拡大する。図４Ｂは、この画素ブロックのアパーチャを示した図である。
【００５８】
この図において、合成出力（例えば、Ｇ１１＋Ｇ２１）は、受光素子３１の直上に配置されるマイクロレンズ２つ分の入射光によって生成される。
【００５９】
このマイクロレンズ２つ分には、光学的ローパスフィルタ１３ｂによって像ずらしされた光が入射する。その結果、このマイクロレンズ２つ分には、直上（図４Ｂに示す実線の丸２つ）と、ずらし方向（図４Ｂに示す点線の丸２つ）とから、光が重畳して入射する。
【００６０】
このような作用により、各合成出力の等価的アパーチャは、図４Ｂに示すマイクロレンズ２×２個分の開口域に拡大され、実質的にほぼ正方形状のアパーチャとなる。
【００６１】
このとき、Ｇ色の等価的アパーチャは、受光面全体をほぼ隙間なく覆う。一方、Ｒ色およびＢ色の等価的アパーチャは市松状に受光面を覆う。さらに、このＲ色およびＢ色の等価的アパーチャは、Ｇ色の等価的アパーチャに対して、水平および垂直方向に半位相ずつずれる。
【００６２】
この図４Ｂに示す等価的アパーチャの色配列は、２板式撮像装置（Ｇ色の撮像素子とＲＢ市松の撮像デバイスを画素ずらし状態に配したもの）の画素配列にほぼ等しい。この等価的アパーチャの色配列は、ベイアー配列を斜め（ここでは４５度）に回転したものになっているが、単板式撮像素子のベイアー配列に比べて、図４Ｂに示すように、等価的アパーチャが大きくなっている。そのため、１方向のみの光学的ローパスフィルタ１３ｂだけでも、偽信号は十分に抑圧される。
【００６３】
通常、ベイアー配列の単板式撮像素子では、偽色を取り除くために縦方向および横方向に像をずらす光学的ローパスフィルタが必要となる。そのため、光学的ローパスフィルタの厚みが増し、光学系の収差性能を劣化させたり、スペースをとるなどの問題が生じていた。
【００６４】
しかしながら、本実施形態の構成では、上述したように、一方向のみに像をずらす光学的ローパスフィルタ１３ｂを使用すればよい。したがって、本実施形態では、ベイアー配列の単板式撮像素子において複数方向に像をずらす場合よりも、光学的ローパスフィルタを薄くすることが可能になる。その結果、光学系の収差性能の劣化や、スペースをとるといった問題を改善することが可能になる。また、光学的ローパスフィルタの簡略化により、コスト面の利点も生じる。
【００６５】
また、図４Ｂに示す色配列は、ベイアー配列を４５度傾けた色配列にも等しい。したがって、画像処理部１９では、ベイアー配列用の色補間処理を４５度傾けて実施することが可能である。
［高解像度転送モードの動作説明］
続いて、第１の実施形態における高解像度転送モードの動作説明を行う。
【００６６】
このモードは、受光素子３１の光電出力を、加算せずに独立に読み出す。固体撮像装置１３では、隣接する２つの受光素子３１に対して、４相の転送段が設けている。そのため、本実施形態の高解像度転送モードでは、光電出力を独立に読み出すため、インタレース転送（光電出力を、第１フィールドおよび第２フィールドの２回に分けて読み出す転送方式）を実施する。このインターレース転送において、第１フィールドおよび第２フィールドの露光タイミングを揃えるため、本実施形態の高解像度転送モードでは、機械シャッタ１４による露光量制御を実施する。
【００６７】
以下、この高解像度転送モードの動作を具体的に説明する。
【００６８】
まず、マイクロプロセッサ２２は、固体撮像装置１３内の制御回路３５に蓄積開始信号を送出する。制御回路３５は、この蓄積開始信号に従って、受光素子３１のリセット動作（不要電荷の排出）を実施する。このリセット動作により、受光素子３１は、被写体像に応じた信号電荷の蓄積に備える。
【００６９】
この状態で、マイクロプロセッサ２２は、機械シャッタ１４を開閉制御する。この機械シャッタ１４の開閉制御により、固体撮像装置１３の露光期間が実質的に決定され、上述した第１フィールドおよび第２フィールドの露光タイミングが等しく揃う。
【００７０】
マイクロプロセッサ２２は、機械シャッタ１４が閉じた後、固体撮像装置１３内の制御回路３５に対し、高解像度転送モードの転送制御信号を送出する。制御回路３５は、この転送制御信号に従って、転送電極φＶ１に対して閾値電圧を超える電圧を印加する。すると、受光素子３１の光電出力（図２に示すＧ２１，Ｒ３２，Ｇ２３，Ｂ３４，Ｇ４１，Ｂ５２，Ｇ４３，Ｒ５４など）は、移送ゲート３２を介して、転送電極φＶ１の転送段に移送される。この状態で、制御回路３５は、垂直ＣＣＤ３３および水平ＣＣＤ３６を駆動して、垂直ＣＣＤ３３上の光電出力を順次に読み出す。このような転送動作により、第１フィールドの画像データがまず読み出しされる。この第１フィールドの画像データは、Ａ／Ｄ変換部１５、信号処理部１６を介して処理された後、バッファメモリ１７に一旦記録される。
【００７１】
次に、制御回路３５は、第２フィールドの画像データ（図２に示すＧ１１，Ｒ２２，Ｇ１３，Ｂ２４，Ｇ３１，Ｂ４２，Ｇ３３，Ｒ４４など）についても、同様の読み出し動作を行う。
【００７２】
このようなインタレース転送により、１画面分の画像データが２回の転送に分かれてバッファメモリ１７内に蓄積される。
【００７３】
画像処理部１９は、このバッファメモリ１７内の画像データを、バス１８を介して読み出しながら、色補間処理などの２次元画像処理を施す。このように画像処理を完了した画像データは、記録部２０を介して、メモリカード２１に圧縮保存される。
［高解像度転送モードの特徴について］
図５は、高解像度転送モードにおける画素の等価的アパーチャ（光学ローパスフィルタの効果を含む）を示す図である。
【００７４】
図５に示されるように、高解像度転送モードでは、低解像度転送モードに比べてＧ単独での垂直解像度が倍増する。したがって、高解像度転送モードの固体撮像装置１３では、画像の微細構造をより精細に撮像することが可能になる。
【００７５】
なお、上述した低解像度転送モードでは、ほぼプログレッシブな転送動作となるため、電子シャッタ機能のみの撮像動作が可能であり、機械シャッタ１４は必ずしも必要ではない。このような場合でも、機械シャッタ１４を、余分な光が転送段に入るのを避けるための遮光手段として、アシスト的に使用することは好ましい。（もちろん、電子シャッタの開閉の間に機械シャッタ１４の開閉動作を入れて、機械シャッタ１４で露光制御する構成としても構わない。）
一方、上述した高解像度転送モードでは、インタレース転送となる。この場合、露光時間の経過直後に機械シャッタ１４を閉じることにより、２つのフィールド画像の露光完了時刻を揃えることができる。
【００７６】
なお、受光面直前でフォーカルプレーンシャッタを閉じる場合は、画面内位置による露光量の違いが問題となる。その場合は、上述したように、蓄積開始の後にフォーカルプレーンシャッタを開けるようにして、画面内位置による露光量の違いをなくすことが好ましい。
【００７７】
なお、上述した第１の実施形態では、図１４のＡパターンに示すように、垂直ＣＣＤ３３の１相目と３相目に移送ゲート３２を列単位にずらして周期配置した。しかしながら、本発明はこれに限定されるものではない。
【００７８】
例えば、図１４のＢパターンに示すように、偶数列（あるいは奇数列）の垂直ＣＣＤ３３の２相目と４相目に移送ゲート３２を周期配置し、奇数列（あるいは偶数列）の垂直ＣＣＤ３３の１相目と３相目に移送ゲート３２を周期配置してもよい。この場合、低解像度転送モードの転送動作は、次の手順(1)〜(4)により実行することが好ましい。
(1) 転送電極φＶ１，φＶ４に移送電圧を同時に与え、垂直ＣＣＤ３３の１相目と４相目を連結した電位井戸に光電出力を移送する。
(2) ２段分だけ垂直転送する。
(3) 転送電極φＶ２，φＶ３に移送電圧を同時に与え、垂直ＣＣＤ３３の２相目と３相目を連結した電位井戸に光電出力を移送する。このとき、電位井戸内において、光電出力が画素ブロック単位に加算合成される。
(4) 垂直ＣＣＤ３３上の合成出力を順次に転送して、外部に読み出す。
【００７９】
このように、Ｂパターンの移送ゲート配置においても、画素ブロックの半位相ずれを、垂直ＣＣＤ３３上で同位相に揃えることができる。
【００８０】
次に、別の実施形態について説明する。
《第２の実施形態》
第２の実施形態における電子カメラの特徴は、図１に示す固体撮像装置１３を、図６に示す固体撮像装置５０に代えた点である。なお、その他の電子カメラの構成については、第１の実施形態と同様であるため、ここでの説明を省略する。
【００８１】
図６Ａは、固体撮像装置５０の外形図である。
【００８２】
図６Ｂは、この固体撮像装置５０の内部構成を示す図である。
【００８３】
図６Ｂに示すように、固体撮像装置５０の受光面には、受光素子５１が、斜め向きにマトリクス配列される。この受光素子５１の上には、オンチップマイクロレンズ（不図示）が形成される。このオンチップマイクロレンズと受光素子５１との間には、図７Ａに示す配色のカラーフィルタアレイが配置される。（すなわち、マトリクス配列の偶数列には、Ｇ色のカラーフィルタが連続配置される。一方、奇数列には、後述する画素ブロック単位にＲ色とＢ色とが交互配置される。なお、このＲ色とＢ色は、隣り合う奇数行ごとに、位置が入れ替わるようにすることが好ましい。）
このカラーフィルタアレイの上には、マトリクス配列の行方向に光像をぼかす（多重像を形成する場合も含む）光学的ローパスフィルタ５０ｂが配置される。この光学的ローパスフィルタ５０ｂは、光像をずらす間隔が、マトリクス配列の列間隔に略等しくなるように調整されている。
【００８４】
図６Ｂに示すように、撮像素子の分離領域（チャンネルストップ）５４は、受光素子５１のジグザグ列の単位に受光面を区分する。これら複数本の分離領域５４を境界線にして、複数本の垂直ＣＣＤ５３が形成される。
【００８５】
この垂直ＣＣＤ５３は、受光素子５１の隙間に転送段を連ねて構成される。これらの転送段には、４相の転送電極φＶ１〜φＶ４が配設される。制御回路５５は、これらの転送電極φＶ１〜φＶ４に対して、制御電圧を印加する。また、受光素子５１と垂直ＣＣＤ５３との間には、移送ゲート５２が設けられる。
【００８６】
これらの垂直ＣＣＤ５３の終端部には、水平ＣＣＤ５６が設けられる。この水平ＣＣＤ５６には、２相の転送電極φＨ１〜φＨ２が配設される。制御回路５５は、これらの転送電極φＨ１〜φＨ２に対して制御電圧を印加する。
［低解像度転送モードの動作説明］
以下、図６Ｂを使用して、固体撮像装置５０における低解像度転送モードの動作を説明する。なお、機械シャッタ１４の動作および電子シャッタ動作については、第１の実施形態と同様なので、ここでの説明を省略する。
【００８７】
所定の露光時間が経過して受光素子５１に光電出力が蓄積された後、マイクロプロセッサ２２は、固体撮像装置５０内の制御回路５５に対して、低解像度転送モードの転送制御信号を送出する。
【００８８】
すると、制御回路５５は、転送電極φＶ４に対して閾値電圧を超える電圧を印加する。すると、受光素子５１の光電出力（図６Ｂに示すＧ２１，Ｂ２２，Ｒ４１，Ｇ４２など）は、移送ゲート５２を介して、転送電極φＶ４の転送段に移送される。
【００８９】
この状態で、制御回路５５は、転送電極φＶ１〜φＶ４に４相の転送パルスを印加し、垂直ＣＣＤ５３上の光電出力を転送段２つ分だけ転送する。
【００９０】
次に、制御回路５５は、転送電極φＶ２に対して閾値電圧を超える電圧を印加する。すると、受光素子５１の光電出力（図６Ｂに示すＧ１１，Ｂ１２，Ｒ３１，Ｇ３２など）は、移送ゲート５２を介して、転送電極φＶ２の転送段に移送される。このような動作により、転送電極φＶ２の転送段には、光電出力の加算結果として、（Ｇ１１＋Ｇ２１），（Ｒ３１＋Ｒ４１），（Ｂ１２＋Ｂ２２），（Ｇ３２＋Ｇ４１）などが生成される。
【００９１】
この状態で、制御回路５５は、転送電極φＶ１〜φＶ４に４相の転送パルスを順次に印加し、垂直ＣＣＤ５３上の加算結果１行分を水平ＣＣＤ５６に垂直転送する。制御回路５５は、転送電極φＨ１〜φＨ２に２相の転送パルスを順次に印加し、水平ＣＣＤ５６上の加算結果１行分を外部に水平転送する。このような垂直転送および水平転送を交互に繰り返すことにより、光電出力の加算結果が、１画面分の低解像度データとして外部に読み出される。
【００９２】
この低解像度データは、Ａ／Ｄ変換部１５において、利得調整およびデジタル化の処理が施される。このようにデジタル化された低解像度データは、信号処理部１６において、階調補正（ガンマ補正など）およびホワイトバランス調整などの信号処理を必要に応じてほぼリアルタイムに施される。このように信号処理された低解像度データは、バッファメモリ１７に一旦記録される。
【００９３】
画像処理部１９は、このバッファメモリ１７内の低解像度データを、バス１８を介して処理単位ごとに読み出しながら、色補間処理などの２次元画像処理を施す。このように画像処理を完了した低解像度データは、記録部２０を介して、メモリカード２１に圧縮保存される。
［低解像度転送モードの特徴について］
図７Ａは、上記動作における光電出力の加算範囲を、受光面上の画素ブロック（図中の点線四角）として示した図である。この図に示されるように、画素ブロックは、マトリクス配列の列方向に受光素子５１を２個ずつまとめたものである。
【００９４】
図７Ａに示すように、奇数列の画素ブロックと、偶数列の画素ブロックは、列方向に半位相ずれている。一方、これらの画素ブロックは、受光面上の水平方向および垂直方向については、位相が揃っている。
【００９５】
ところで、画素ブロックの等価的アパーチャ（入射光の範囲）は、光学的ローパスフィルタ５０ｂの像ずらし効果により拡大する。図７Ｂは、この画素ブロックの等価的アパーチャを示した図である。等価的なアパーチャは４つのマイクロレンズの集合と同等であり、図４Ｂで示したパターンを４５度回転したものになっている。この図に示されるように、Ｇ色の等価的アパーチャは、受光面全体をほぼ隙間なく覆う。一方、Ｒ色およびＢ色の等価的アパーチャは斜め向きに市松配列される。さらに、このＲ色およびＢ色の等価的アパーチャは、Ｇ色の等価的アパーチャに対して、水平および垂直方向に半位相ずつずれる。
【００９６】
図７Ｂに示すように、これら等価的アパーチャの色配列は、ベイアー配列の色配列に等しい。したがって、画像処理部１９では、ベイアー配列用の色補間処理を実施することが可能になる。
【００９７】
ただし、得られる色配列はベイアー配列であるが、等価的アパーチャのパターンは通常の単板ベイアーとは異なっている。これにもとづく光学的ローパスフィルタの簡略化に関する特徴は、第１の実施形態と同様である。
［高解像度転送モードの動作説明］
続いて、第２の実施形態における高解像度転送モードの動作説明を行う。
【００９８】
まず、マイクロプロセッサ２２は、固体撮像装置５０内の制御回路５５に対して、高解像度転送モードの転送制御信号を送出する。
【００９９】
すると、制御回路５５は、転送電極φＶ２に対して閾値電圧を超える電圧を印加する。すると、受光素子５１の光電出力（図６Ｂに示すＧ１１，Ｂ１２，Ｒ３１，Ｇ３２など）は、移送ゲート５２を介して、転送電極φＶ２の転送段に移送される。この状態で、制御回路５５は、垂直ＣＣＤ５３および水平ＣＣＤ５６を駆動して、垂直ＣＣＤ５３上の光電出力を順次に読み出す。このような転送動作により、第１フィールドの画像データがまず読み出しされる。この第１フィールドの画像データは、Ａ／Ｄ変換部１５、信号処理部１６を介して処理された後、バッファメモリ１７に一旦記録される。
【０１００】
次に、制御回路５５は、第２フィールドの画像データ（図６Ｂに示すＧ２１，Ｂ２２，Ｒ４１，Ｇ４２など）についても、同様の読み出し動作を行う。
【０１０１】
このようなインタレース転送により、１画面分の画像データがバッファメモリ１７内に蓄積される。
【０１０２】
画像処理部１９は、このバッファメモリ１７内の画像データを、バス１８を介して処理単位ごとに読み出しながら、色補間処理などの２次元画像処理を施す。このように画像処理を完了した画像データは、記録部２０を介して、メモリカード２１に圧縮保存される。
［高解像度転送モードの特徴について］
図８は、高解像度転送モードにおける画素の等価的アパーチャ（光学ローパスフィルタの効果を含む）を示す図である。
【０１０３】
図８に示されるように、高解像度転送モードでは、低解像度転送モードに比べて、斜め方向のＧ単独での解像度が増加する。したがって、高解像度転送モードの固体撮像装置５０では、画像の微細構造をより精細に撮像することが可能になる。
《第３の実施形態》
第３の実施形態は、転送電極φＶ１〜φＶ４の配線パターンを工夫した点に特徴を有する。なお、その他の点については、第１の実施形態とほぼ同様であるため、ここでの説明を省略する。
【０１０４】
図１５，図１６，および図１７は、転送電極φＶ１〜φＶ４の配線パターンを例示する図である。これらの図では、転送電極φＶ１および転送電極φＶ２を黒く塗りつぶすことによって、転送電極の形状を明確に示している。
【０１０５】
以下、図ごとに説明する。
［図１５に示す配線パターン］
図１５において、受光面には、マトリクス配列された受光素子１３１と、これら受光素子１３１を電気的に区切るチャネルストップ（分離領域のこと）１３１ａと、受光素子１３１の列間に配置される転送チャンネル１３３ａと、転送電極φＶ１〜φＶ４とが設けられる。
【０１０６】
ここでの転送電極φＶ１，φＶ３と転送電極φＶ２，φＶ４とは、電極の縁部分を半導体基板の厚み方向にずらして電気的に絶縁した上で、受光面上方から見て一部重なるように形成される。
【０１０７】
この受光面の画素ブロックは、受光素子１３１を列方向に２個ずつまとめたものである。さらに、この画素ブロックは、偶数列と奇数列とにおいて列方向に半位相分（つまり受光素子１３１の１つ分）だけずれている。
【０１０８】
転送電極φＶ１〜φＶ４は、画素ブロックの半位相分だけずれた『奇数列の受光素子１３１』と『偶数列の受光素子１３１』とを架け渡すように、千鳥状にパターン形成される。
【０１０９】
以下、この配線パターンにおける転送動作について具体的に説明する。まず、転送電極φＶ１に高電圧読み出しパルスが印加されると、転送電極φＶ１の下の転送ゲートがオン状態になる。その結果、転送電極φＶ１の配線パターンに沿って、受光素子１３１から転送チャンネル１３３ａへ光電出力が移送される。同様に、転送電極φＶ３に高電圧読み出しパルスが印加されると、転送電極φＶ３の下の転送ゲートがオン状態になる。その結果、転送電極φＶ３の配線パターンに沿って、受光素子１３１から転送チャンネル１３３ａへ光電出力が移送される。
【０１１０】
このような動作により、奇数列と偶数列では、転送電極φＶ１，φＶ３の配線パターンに沿って、光電出力が互い違いの方向に読み出される。その結果、画素ブロックの位相ずれが、転送チャンネル１３３ａの電位井戸において同位相に揃えられる。
［図１６に示す配線パターン］
図１６においても、図１５の場合と同様に、画素ブロックの半位相分だけずれた『奇数列の受光素子１３１』と『偶数列の受光素子１３１』とをつなぐように、転送電極φＶ１〜φＶ４をパターン形成する。
【０１１１】
その結果、図１６においても、画素ブロックの位相ずれが、転送チャンネル１３３ａにおいて同位相に揃えられる。
【０１１２】
なお、図１６に示す配線パターンでは、移送ゲートの位置を奇数列と偶数列とで近づく方向にずらしている。その結果、転送電極φＶ１〜φＶ４の曲がり具合を緩和し、転送電極φＶ１〜φＶ４のパターンを滑らかな形状に近づけることに成功している。
【０１１３】
さらに、転送電極φＶ１および転送電極φＶ３については、受光素子１３１の行間を一直線に貫いて、配線接続を行っている。
［図１７に示す配線パターン］
図１７においても、図１５の場合と同様に、画素ブロックの半位相分だけずれた『奇数列の受光素子１３１』と『偶数列の受光素子１３１』とをつなぐように、転送電極φＶ１〜φＶ４をパターン形成する。
【０１１４】
その結果、図１７においても、画素ブロックの位相ずれが、転送チャンネル１３３ａにおいて同位相に揃えられる。
【０１１５】
なお、図１７に示す配線パターンでは、移送ゲートの位置を奇数列と偶数列とで近づく方向にずらしている。その結果、転送電極φＶ１〜φＶ４の曲がり具合を緩和し、転送電極φＶ１〜φＶ４のパターンを滑らかな形状に近づけることに成功している。
【０１１６】
さらに、転送電極φＶ１〜φＶ４の全てについて、受光素子１３１の行間を一直線に貫いて、配線接続を行っている。
【０１１７】
次に、別の実施形態について説明する。
《第４の実施形態》
第４の実施形態における電子カメラの特徴は、図１に示す固体撮像装置１３を、固体撮像装置２１３に代えた点である。なお、その他の電子カメラの構成については、第１の実施形態と同様であるため、ここでの説明を省略する。
【０１１８】
図１８は、この固体撮像装置２１３を示す図である。図１９Ａは、固体撮像装置２１３の画素ブロック（図中の点線矩形）を示す図である。図１９Ｂは、固体撮像装置２１３の低解像度モードにおける個々の出力に関する等価的アパーチャを示す図である。
【０１１９】
第４の実施形態では、光電出力の垂直転送方向と略直交する方向を『列方向』と定め、この列方向を基準に画素ブロックを設定している。その結果、図１９Ａに示す画素ブロックは、第１の実施形態の画素ブロック（図４Ａ参照）を略９０度回転したものに等しくなる。
【０１２０】
さらに、このような画素ブロックの回転に伴い、図１９Ａに示すカラーフィルタアレイの色配列も、第１の実施形態の色配列（図４Ａ参照）を略９０度回転したものに等しくしている。また同様に、図１９Ｂに示すＯＬＰＦの像ずらし方向も、第１の実施形態の像ずらし方向（図４Ｂ参照）を略９０度回転したものに等しくしている。
【０１２１】
なお、第４の実施形態では、垂直転送方向において、画素ブロックの位相が揃う。そのため、移送ゲート２３２については、第１の実施形態（図２）とは異なり、転送電極φＶ２および転送電極φＶ４の位置に配置される。
［低解像度転送モードの動作説明］
以下、第４の実施形態における低解像度転送モードの動作を、図１および図１８を用いて説明する。
【０１２２】
マイクロプロセッサ２２は、機械式シャッタ１４を閉じて、受光素子３１の光電蓄積を完了した後、固体撮像装置２１３内の制御回路３５に対して、低解像度転送モードの転送制御信号を送出する。
【０１２３】
この転送制御信号に応じて、制御回路３５は、垂直ＣＣＤ３３および水平ＣＣＤ３６を駆動して、インタレース転送を実施する。
【０１２４】
１フィールド目のインタレース転送では、偶数列の光電出力（図１８に示すＧ１１，Ｇ１２，Ｇ１３，Ｇ３１，Ｇ３２，Ｇ３３など）が、水平ＣＣＤ３６から順次出力される。水平ＣＣＤ３６の出力部（ＣＣＤ出力段または出力回路）は、この水平転送に同期して、偶数列の光電出力を水平方向に加算し、画素ブロック単位の合成出力（例えば、Ｇ１１＋Ｇ１２など）を生成する。
【０１２５】
続く２フィールド目のインタレース転送では、奇数列の光電出力（図１８に示すＲ２２，Ｒ２３，Ｂ２４，Ｂ２５など）が、水平ＣＣＤ３６から順次出力される。水平ＣＣＤ３６の出力部（ＣＣＤ出力段または出力回路）は、この水平転送に同期して、この奇数列の光電出力を水平方向に加算し、画素ブロック単位の合成出力（例えば、Ｒ２２＋Ｒ２３など）を生成する。このとき、水平ＣＣＤ３６の出力部は、水平加算のタイミングを半位相ずらすことにより、１フィールド目の合成出力に対して、水平方向に半位相ずれた合成出力を生成する。
【０１２６】
このような２フィールド分のインタレース転送を経て、１画面分の低解像度データがバッファメモリ１７内に蓄積される。
【０１２７】
画像処理部１９は、このバッファメモリ１７内の低解像度データを、バス１８を介して読み出しながら、色補間処理などの２次元画像処理を施す。このように画像処理を完了した低解像度データは、記録部２０を介して、メモリカード２１に圧縮保存される。
【０１２８】
以上の動作により、第１の実施形態とほぼ同様の低解像度データを得ることが可能になる。
［高解像度転送モードの動作説明］
次に、第４の実施形態における高解像度転送モードの動作を、図１および図１８を用いて説明する。
【０１２９】
マイクロプロセッサ２２は、機械式シャッタ１４を閉じて、受光素子３１の光電蓄積を完了した後、固体撮像装置２１３内の制御回路３５に対して、高解像度転送モードの転送制御信号を送出する。
【０１３０】
この転送制御信号に応じて、制御回路３５は、垂直ＣＣＤ３３および水平ＣＣＤ３６を駆動して、インタレース転送を実施する。
【０１３１】
このとき、水平ＣＣＤ３６の出力部は、光電出力の水平加算の動作を停止し、光電出力を画素単位に出力する。
【０１３２】
このような２フィールド分のインタレース転送を経て、１画面分の高解像度データがバッファメモリ１７内に蓄積される。
【０１３３】
画像処理部１９は、このバッファメモリ１７内の高解像度データを、バス１８を介して読み出しながら、色補間処理などの２次元画像処理を施す。このように画像処理を完了した高解像度データは、記録部２０を介して、メモリカード２１に圧縮保存される。
【０１３４】
以上の動作により、第１の実施形態とほぼ同様の高解像度データを得ることが可能になる。
《実施形態の補足事項》
なお、上述した実施形態では、受光素子２個から画素ブロックを構成する場合について説明した。しかしながら、本発明はこれに限定されるものではない。一般に、受光素子Ｎ（Ｎ≧２）個から画素ブロックを構成することができる。その場合は、Ｎの数に合わせて転送電極の相数を変更すればよい。
【０１３５】
また、上述した実施形態では、原色系のカラーフィルタアレイを使用する場合について説明した。しかしながら、本発明は、特定のカラーフィルタアレイに限定されるものではない。例えば、図９〜図１１に示す配列パターンに従って、任意のカラーフィルタＸ１〜Ｘ８を配置してもよい。
【０１３６】
この場合、図１１中のＣＦＡ配列１を採用することにより、上述した原色系のカラーフィルタアレイを得ることができる。
【０１３７】
また、図１１中のＣＦＡ配列２を採用することにより、Ｇ色を輝度Ｙに置き換えた原色系のカラーフィルタアレイを得ることができる。
【０１３８】
一方、図１１中のＣＦＡ配列３を採用することにより、Ｇ色を交えた補色系のカラーフィルタアレイを得ることができる。
【０１３９】
また、図１１中のＣＦＡ配列４を採用することにより、任意の色ａ１〜ａ４からなるカラーフィルタアレイを得ることができる。
【０１４０】
なお、上述した実施形態では、同一の画素ブロックに属するカラーフィルタを同じ色に揃えている。しかしながら、本発明はこれに限定されるものではない。例えば、同一の画素ブロックに属する複数のカラーフィルタを、異なる色に設定してもよい。この場合、高解像度転送モードでは、受光素子単位に細かい色情報を得ることが可能になる。また、低解像度転送モードでは、画素ブロック内のカラーフィルタの合成色に関する色情報を得ることが可能になる。
【０１４１】
また、上述した実施形態では、１つの受光素子３１，５１に対して、垂直ＣＣＤ３３，５３の転送段を２つ配分している。しかしながら、本発明はこれに限定されるものではない。例えば、１つの受光素子３１，５１に対して、垂直ＣＣＤ３３，５３の転送段を３〜４つ配分してもよい。この場合、高解像度転送モードにおいて、３〜４相駆動によるプログレッシブ転送を行うことが可能になる。
【０１４２】
なお、上述した実施形態では、垂直ＣＣＤ３３，５３上において、光電出力を加算している。しかしながら、本発明はこれに限定されるものではない。例えば、光電出力を垂直転送路（垂直ＣＣＤ）を介してプログレッシブに垂直転送し、水平転送路（水平ＣＣＤ）上において、光電出力を画素ブロック単位に加算してもよい。
【０１４３】
この場合も、移送ゲートの配置を奇数列／偶数列でずらすことにより、垂直転送路上で画素ブロックの半位相ずれを揃えることが好ましい。あるいは、後述するように、垂直転送段数を偶数列／奇数列でずらすことにより、画素ブロックの位相ずれを水平転送路上で揃えることが好ましい。このような工夫により、水平転送路上における画素ブロック単位の加算処理を単純かつ的確に実行することが可能になる。
【０１４４】
また、上述した実施形態では、制御回路３５，５５を、受光素子３１，５１などと同一の半導体基板上に形成している。しかしながら、本発明はこれに限定されるものではない。例えば、制御回路３５，５５を、受光素子３１，５１などの半導体基板と別体に構成してもよい。この場合、電子カメラ１１内のマイクロプロセッサ２２などに、制御回路３５，５５の機能を持たせることも可能である。
【０１４５】
なお、上述した実施形態では、ＣＣＤ方式の固体撮像装置について説明した。しかしながら、本発明はこれに限定されるものではない。例えば、ＸＹアドレス方式（ＣＭＯＳ方式など）の固体撮像装置に本発明を適用してもよい。
【０１４６】
また、第１の実施形態では、移送ゲート３２の配置をずらすことにより、画素ブロックの位相ずれを垂直ＣＣＤ３３上で揃えている。しかしながら、本発明はこれに限定されるものではない。例えば、図１２に示す固体撮像装置１３Ｙのように、垂直ＣＣＤ３３ａの垂直転送段数（例えば、転送電極の数）を偶数列／奇数列でずらすことにより、画素ブロックの位相ずれを水平ＣＣＤ３６上で揃えてもよい（請求項２に対応する）。この例では、受光素子当たり４相の転送段を有するので、プログレッシブに垂直転送して、垂直転送段から水平転送段へ移す時点で加算を行う。水平転送段では、光電出力の加算結果（Ｇ１１＋Ｇ２１，Ｒ２２＋Ｒ３２など）を水平転送する。
【０１４７】
なお、第２の実施形態では、受光素子５１のジグザグ列ごとに、垂直ＣＣＤ５３を配置している。しかしながら、これに限定されるものではない。例えば、図１３に示す固体撮像装置７０のように、分離領域７４などを設けて受光素子７１の垂直ラインごとに、垂直ＣＣＤ７３を設けてもよい。
【０１４８】
この場合は、次のような低解像度転送モードの動作(1)〜(6)により、ブロック単位７９の加算読み出しを行うことが好ましい。
(1) 制御回路７５は、全画素の光電出力を垂直ＣＣＤ７３に移送する。
(2) 制御回路７５は、垂直ＣＣＤ７３の光電出力（Ｇ１１，Ｂ１２など）を水平ＣＣＤ７６に転送する。
(3) 制御回路７５は、水平ＣＣＤ７６上の電位井戸を２段転送する。
(4) 制御回路７５は、垂直ＣＣＤ７３を２段送って、光電出力（Ｇ２１，Ｂ２２など）を水平ＣＣＤ７６に送る。このとき、水平ＣＣＤ７６の電位井戸内では、（Ｇ１１＋Ｇ２１），（Ｂ１２＋Ｂ２１）などの合成出力が生成される。
(5) 合成の後、水平ＣＣＤ７６上の合成出力を高速に水平転送して、外部に読み出す。
(6) 上述した(2)〜(4)の動作を繰り返し、１画面分の合成出力を外部に読み出す。
【０１４９】
ちなみに、高解像度転送モードでは、上述した加算動作を省いて、プログレッシブに全画素転送動作を行う。
【０１５０】
また、第４の実施形態では、水平ＣＣＤ３６の出力部において、光電出力を画素ブロック単位に加算している。しかしながら、本発明はこれに限定されるものではない。例えば、図２０Ａおよび図２０Ｂに示すように、水平ＣＣＤの電位井戸を連結するなどによって、水平ＣＣＤのライン上で光電出力を加算してもよい。
《付記》
以下、上述した実施形態について、より一般的な表現で説明する。
［１］上述の実施形態では、受光素子Ｎ個からなる画素ブロック単位に、光電出力を加算して読み出す低解像度モードについて説明した。この低解像度モードでは、固体撮像装置の内部において、光電出力の転送個数を１／Ｎまで低解像度化することができる。その結果、光電出力の転送個数が減少し、固体撮像装置の転送読み出しの所要時間を短縮することが容易になる。
【０１５１】
また、上述の実施形態では、これら画素ブロックを偶数列と奇数列において半位相ずらしている。このような画素ブロックずらしにより、列方向の鮮鋭度低下を補うことができる。したがって、従来例Ｂよりも、鮮鋭度の優れた低解像度データを得ることが容易になる。
［２］上述の実施形態では、奇数列と偶数列で、受光素子から光電出力を互い違いの方向に読み出す構成について説明した。このような構成により、画素ブロックの半位相ずれを垂直転送路上で同一位相に揃えることができる。その結果、光電出力を垂直方向および水平方向に転送する際に、画素ブロックの位相ずれを考慮する必要がなくなり、光電出力の転送シーケンスを単純化することが容易になる。
［３］上述の実施形態では、垂直転送路の垂直転送段数を偶数列と奇数列でずらすことにより、画素ブロックの半位相ずれを水平転送路上で同一位相に揃える構成について説明した。このような構成により、光電出力を水平方向に転送する際に、画素ブロックの位相ずれを考慮する必要がなくなり、光電出力の転送シーケンスを単純化することが容易になる。
［４］上述の実施形態では、偶数列と奇数列で転送電極の配線パターンをずらして、画素ブロックの半位相ずれを垂直転送路上で同一位相に揃える構成について説明した。このような構成により、光電出力を垂直方向および水平方向に転送する際に、画素ブロックの位相ずれを考慮する必要がなくなり、光電出力の転送シーケンスを単純化することが容易になる。
［５］さらに、上述の実施形態では、画素ブロックの半位相分だけずれた『奇数列の受光素子』と『偶数列の受光素子』とを架け渡すように、転送電極の少なくとも一つをパターン形成する場合について説明した。
【０１５２】
この転送電極が架け渡された複数の受光素子からは、光電出力が同時に読み出される。また、この転送電極が同時に発生させる複数の電位井戸には、読み出された光電出力が蓄積される。
【０１５３】
このようにして、画素ブロックの半位相ずれを、転送電極のパターンに沿って、垂直転送路上で同位相に揃えることが可能になる。その結果、光電出力の転送に際して画素ブロックの位相ずれを考慮する必要がなくなり、光電出力の転送シーケンスを単純化することが容易になる。
［６］上述の実施形態では、垂直転送路および水平転送路の少なくとも一方において、転送中の光電出力を画素ブロックの単位に加算する処理について説明した。このような加算処理では、加算のための回路構成を外部に別途設ける必要がなく、電子カメラ等の構成を単純化することが容易になる。
［７］上述の実施形態では、画素ブロックのずらし方向（すなわち列方向）を、垂直転送路の転送方向と略直交する方向に設定する場合について説明した。このような設定では、画素ブロックが垂直転送路の方向に殆どずれない。そのため、画素ブロックの位相ずれを垂直転送路上で同位相に揃えるなどの工夫が不要となり、垂直転送に関する構成や動作を単純化することが容易になる。
［８］上述の実施形態では、斜め方向に並ぶ受光素子からなる画素ブロック単位に、光電出力を加算して読み出す場合について説明した。このような斜め向きの画素ブロックでは、受光面上の水平方向および垂直方向に位相を揃えることが容易になる。この場合、水平垂直に画素が整列した低解像度データを容易に得ることが可能になる。
［９］上述の実施形態では、画素ブロックごとにカラーフィルタを同一色に揃える場合について説明した。このようなカラー配列では、画素ブロック単位に各色信号を直に生成することが可能になる。
［１０］上述の実施形態では、マトリクス配列の偶数列（奇数列）に第１色を連続して配し、奇数列（偶数列）に第２色および第３色を画素ブロック単位で交互に配する場合について説明した。
【０１５４】
第１の実施形態では、このようなカラー配列により、ベイアー配列を４５度回転した低解像度データを得ることができる。
【０１５５】
また、第２の実施形態では、このようなカラー配列により、ベイアー配列の低解像度データが得られる。
［１１］上述の実施形態では、受光面に投影される光像を、マトリクス配列の列方向と略直交する方向にぼかす光学的ローパスフィルタを備える構成について説明した。本実施形態の画素ブロックは、マトリクス配列の列方向に延びた形状を有する。したがって、光学的ローパスフィルタが列方向と略直交する方向に光像をぼかすことにより、画素ブロックの等価的なアパーチャ形状を正方形状に近づけることができる。その結果、異方性の少ない低解像度データを得ることが可能になる。
【０１５６】
通常、ベイアー配列では、画質の等方性を保ちつつ偽色対策を行うため、２方向に光像をぼかす光学的ローパスフィルタを用いる。そのため、光学的ローパスフィルタを実質２枚分と、その間に挿入する１／４波長板が必要となり、光学的ローパスフィルタの総厚が厚くなるという問題点があった。
【０１５７】
しかしながら、ここでの実施形態では、一方向のみの光学的ローパスフィルタを使用して、画質の等方性を保ちつつ、かつモアレや偽色を効率良く改善することが可能になる。その結果、光学的ローパスフィルタが薄くなり、光学系全体の結像性能を向上させることが可能になる。また、光学的ローパスフィルタの総厚が薄くなる分だけ、固体撮像装置の受光面の直前に空きスペースが生まれる。したがって、この空きスペースに機械シャッタを無理なく配置できるなど、設計の自由度が一段と高くなる。さらに、光学的ローパスフィルタの枚数削減によりコスト低減を図ることも容易になる。
［１２］上述した実施形態では、高解像度転送モードをモード選択可能に有する場合について説明した。このような高解像度転送モードを選択することにより、低解像度データおよび高解像度データを選択的に得ることが可能になり、固体撮像装置の適用範囲を拡大することが可能になる。
【０１５８】
なお、本発明は、その精神または主要な特徴から逸脱することなく、他のいろいろな形で実施することができる。そのため、前述の実施例はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する変形や変更は、すべて本発明の範囲内のものである。
【図面の簡単な説明】
【０１５９】
【図１】電子カメラ１１の概略構成を示すブロック図である。
【図２】固体撮像装置１３の構成を示す図である。
【図３】低解像度転送モードの動作を説明する図である。
【図４】低解像度転送モードにおける画素ブロックおよびアパーチャを示す図である。
【図５】高解像度転送モードにおけるアパーチャを示す図である。
【図６】固体撮像装置５０の構成を示す図である。
【図７】低解像度転送モードにおける画素ブロックおよびアパーチャを示す図である。
【図８】高解像度転送モードにおけるアパーチャを示す図である。
【図９】カラーフィルタＸ１〜Ｘ８の好適な配置例を示す図である。
【図１０】カラーフィルタＸ１〜Ｘ８の好適な配置例を示す図である。
【図１１】カラーフィルタＸ１〜Ｘ８の好適な配色例を示す図である。
【図１２】固体撮像装置１３Ｙの構成を示す図である。
【図１３】固体撮像装置７０の構成を示す図である。
【図１４】移送ゲートの配置例を示す図である。
【図１５】転送電極の配線パターンの一例を示す図である。
【図１６】転送電極の配線パターンの一例を示す図である。
【図１７】転送電極の配線パターンの一例を示す図である。
【図１８】固体撮像装置２１３を示す図である。
【図１９】低解像度転送モードにおける画素ブロックおよびアパーチャを示す図である。
【図２０】水平転送路のライン上における光電出力の加算動作を示す図である。
【図２１】従来例を示す図である。
【符号の説明】
【０１６０】
１１  電子カメラ
１２  撮影レンズ
１３  固体撮像装置
１３ａ  カラーフィルタアレイ
１３ｂ  光学的ローパスフィルタ
１４  機械シャッタ
１５  Ａ／Ｄ変換部
１６  信号処理部
１７  バッファメモリ
１８  バス
１９  画像処理部
２０  記録部
２２  マイクロプロセッサ
３１  受光素子
３２  移送ゲート
３３  垂直ＣＣＤ
３５  制御回路
３６  水平ＣＣＤ
５０  固体撮像装置
５０ａ  カラーフィルタアレイ
５０ｂ  光学的ローパスフィルタ
５１  受光素子
５３  垂直ＣＣＤ
５４  分離領域
５５  制御回路
５６  水平ＣＣＤ
９３  固体撮像装置
９４  Ａ／Ｄ変換部
９６  バッファメモリ
９７  画像処理部
９９  記録部
１３１  受光素子
１３１ａ  チャネルストップ（分離領域）
１３３ａ  転送チャンネル
２１３  固体撮像装置
２３２  移送ゲート
【図１】
0004196677.tif 000002
【図２】
0004196677.tif 000003
【図３】
0004196677.tif 000004
【図４】
0004196677.tif 000005
【図５】
0004196677.tif 000006
【図６】
0004196677.tif 000007
【図７】
0004196677.tif 000008
【図８】
0004196677.tif 000009
【図９】
0004196677.tif 000010
【図１０】
0004196677.tif 000011
【図１１】
0004196677.tif 000012
【図１２】
0004196677.tif 000013
【図１３】
0004196677.tif 000014
【図１４】
0004196677.tif 000015
【図１５】
0004196677.tif 000016
【図１６】
0004196677.tif 000017
【図１７】
0004196677.tif 000018
【図１８】
0004196677.tif 000019
【図１９】
0004196677.tif 000020
【図２０】
0004196677.tif 000021
【図２１】
0004196677.tif 000022